(57)【要約】【課題】共通の固定盤に対して種々のカバー部材を取り付けられてカバーを取り外すときの作業性に優れたエアゾール容器用吐出具およびエアゾール装置を提供する。【解決手段】吐出具Dは、エアゾール容器1のステム4に装着されるノズル10と、エアゾール容器1のマウンティングカップ3に固定される固定盤20と、固定盤20に装着されるガイド30と、ガイド30に装着されるカバー部材40とを有し、ガイド部材30は、固定盤20に形成した開口部25を通って固定盤20の内側に係合される第1係合部33と、カバー40の内側を通ってカバー40の内側に係合される第2係合部34とを有し、カバー40は、ガイド30の第2係合部34をその係合位置よりも上側の位置で内側に押し込み可能な押圧部43と、ノズル10を押し下げる操作部46を有する。【選択図】図２
2015085987.tif 000002
【特許請求の範囲】
【請求項１】
エアゾール容器のステムに装着されるノズルと、前記エアゾール容器のマウンティングカップに固定される固定盤と、前記固定盤に装着されるガイド部材と、前記ガイド部材に装着されて当該ガイド部材との間に前記ノズルの収容空間を形成するカバー部材とを有し、
前記ガイド部材は、前記固定盤に形成した開口部を通って当該固定盤の内側に係合される第１係合部と、前記カバー部材の内側を通って当該カバー部材の内側に係合される第２係合部とを有し、
前記カバー部材は、前記ガイド部材の前記第２係合部をその係合位置よりも上側の位置で内側に押し込み可能な押圧部と、前記ノズルを押し下げる操作部とを有する、エアゾール容器用吐出具。
【請求項２】
請求項１において、前記カバー部材は、当該カバー部材の下端から上方に伸びる切り欠き部を有し、前記切り欠き部が前記ノズルの吐出筒を通す通路としてなるものである、エアゾール容器用吐出具。
【請求項３】
請求項１または２において、前記ガイド部材は、前記ノズルの吐出筒を位置決めする位置決め手段を有する、エアゾール容器用吐出具。
【請求項４】
請求項３において、前記ガイド部材は、前記操作部の押し下げを制限するストッパを有する、エアゾール容器用吐出具。
【請求項５】
請求項１または２において、前記ガイド部材は、前記ノズルの吐出筒を位置決めするとともに前記操作部の押し下げを制限する突出筒を有する、エアゾール容器用吐出具。
【請求項６】
請求項１乃至５のいずれか１項において、前記カバー部材は、前記ガイド部材の前記第２係合部が係合される開口部を有し、前記押圧部が前記開口部の内側にヒンジ部を介して連結された押圧部である、エアゾール容器用吐出具。
【請求項７】
請求項１乃至５のいずれか１項に記載の吐出具と、エアゾール容器とを有する、エアゾール装置。
【発明の詳細な説明】
【技術分野】
【０００１】
本発明は、エアゾール容器用吐出具およびそれを備えるエアゾール装置に関するものである。
【背景技術】
【０００２】
エアゾール容器用吐出具には、２つのエアゾール容器を１つの固定盤（連結具）で固定するとともに、これらエアゾール容器の２つのステムを１つのノズルで連結し、このノズルを操作部によって押し下げることで、２つのエアゾール容器の別々の内容物をノズルの吐出口から同時に吐出できるものがある（例えば、特許文献１参照）。またこの吐出具は、操作部を備えるカバー部材（カバー）を固定盤から取り外すことで、エアゾール容器のステムからノズルを取り外して洗浄することができる。
【先行技術文献】
【特許文献】
【０００３】
【特許文献１】特開２００３−３４３７４号公報
【発明の概要】
【発明が解決しようとする課題】
【０００４】
しかしながら、上記の吐出具は、カバー部材が直接固定盤に装着されるため、内容物の種類や使用者の好みに合わせてカバー部材を変更する場合、固定盤に合わないカバー部材を適用することは困難であった。
【０００５】
また、上記の吐出具は、カバー部材に押圧部を設けてこの押し力によってカバー部材と固定盤との係合を解除している。この場合、カバー部材を片手操作で取り外すことができる。しかしながら、カバー部材が直接固定盤に装着されている場合、カバー部材に設けた押圧部の押し力によって、カバー部材と固定盤との係合を解除しようとすると、大きな押し力が必要になって、カバー部材を取り外すときの作業性に改善の余地があった。
【０００６】
本発明の目的は、共通の固定盤に対して種々のカバー部材を取り付けることができ、カバー部材を着脱するときの作業性に優れた、新規なエアゾール容器用吐出具およびそれを備えるエアゾール装置を提供することにある。
【課題を解決するための手段】
【０００７】
本発明のエアゾール容器用吐出具は、前記エアゾール容器のステムに装着されるノズルと、前記エアゾール容器のマウンティングカップに固定される固定盤と、前記固定盤に装着されるガイド部材と、前記ガイド部材に装着されて当該ガイド部材との間に前記ノズルの収容空間を形成するカバー部材とを有し、
前記ガイド部材は、前記固定盤に形成した開口部を通って当該固定盤の内側に係合される第１係合部と、前記カバー部材の内側を通って当該カバー部材の内側に係合される第２係合部とを有し、
前記カバー部材は、前記ガイド部材の前記第２係合部をその係合位置よりも上側の位置で内側に押し込み可能な押圧部と、前記ノズルを押し下げる操作部とを有するものである。
【０００８】
前記カバー部材は、当該カバー部材の下端から上方に伸びる切り欠き部を有し、前記切り欠き部が前記ノズルの吐出筒を通す通路としてなるものであることが好ましい。
【０００９】
前記ガイド部材は、前記ノズルの吐出筒を位置決めする位置決め手段を有することができる。
【００１０】
また前記ガイド部材は、前記操作部の押し下げを制限するストッパを有することができる。
【００１１】
さらに前記ガイド部材は、前記ノズルの吐出筒を位置決めするとともに前記操作部の押し下げを制限する突出筒を有することができる。
【００１２】
また前記カバー部材は、前記ガイド部材の前記第２係合部が係合される開口部を有し、前記押圧部が前記開口部の内側にヒンジ部を介して連結された押圧部であることが好ましい。
【００１３】
本発明のエアゾール装置は、上記吐出具と、エアゾール容器とを有するものである。
【発明の効果】
【００１４】
本発明によれば、共通の固定盤に対して種々のカバー部材を取り付けることができ、カバー部材を取り外すときの作業性に優れた、エアゾール容器用吐出具およびエアゾール装置を提供することができる。
【図面の簡単な説明】
【００１５】
【図１】（ａ）は、本発明の一実施形態に係るエアゾール装置を拡大して示す正面図であり、（ｂ）は（ａ）の側面図であり、（ｃ）は、（ａ）の平面図である。
【図２】図１（ｃ）のＩ−Ｉ断面図であって、図面左側は、図１の吐出具に係るガイド部材およびカバー部材を断面で示し、図面右側は、エアゾール容器のみ正面図で示す。
【図３】図１（ｃ）のＩＩ−ＩＩ断面図であって、エアゾール容器のみ側面図で示す吐出前の状態である。
【図４】図１（ｃ）のＩＩ−ＩＩ断面図であって、エアゾール容器のみ側面図で示す吐出時の状態である。
【図５】（ａ）は、図１の吐出具に係る固定盤の平面図であり、（ｂ）は、（ａ）のＩＩＩ−ＩＩＩ断面図である。
【図６】（ａ）は、図１の吐出具に係る固定盤の底面図であり、（ｂ）は、（ａ）のＩＶ−ＩＶ断面図である。
【図７】（ａ）は、図１の吐出具に係るガイド部材の平面図であり、（ｂ）は、（ａ）のＶ−Ｖ断面図であり、（ｃ）は、（ａ）のＶＩ−ＶＩ断面図であって、特に右半分は一部側面図で示す。
【図８】（ａ）は、図１の吐出具に係るカバー部材の平面図であり、（ｂ）は、（ａ）のＶＩＩ−ＶＩＩ断面図である。
【図９】（ａ）は、図８（ａ）の側面図であり、（ｂ）は、図８（ａ）のＶＩＩＩ−ＶＩＩＩ断面図である。
【図１０】図１のエアゾール装置にオーバーキャップを装着した状態を示す側面図である。
【発明を実施するための形態】
【００１６】
以下、図面を参照して、本発明の一実施形態に係るエアゾール装置を詳細に説明する。なお、以下の説明において、「前方」とは、吐出口の指向する方向であり、「後方」とは、「前方」と反対側に指向する方向である。また、「上方」とは、エアゾール容器のステムの先端が指向する方向であり、「下方」とは、「上方」と反対側に指向する方向である。さらに、左右横方向とは、前後方向および上下方向と直交する方向である。
【００１７】
図１（ａ）〜（ｃ）には、本発明の一実施形態に係るエアゾール容器用吐出具（以下、「吐出具」という）Ｄと、この吐出具Ｄを装着したエアゾール容器１とを備えるエアゾール装置を示す。
【００１８】
図２に示すように、エアゾール容器１は、例えば金属製または合成樹脂製（例えば、ＰＥＴ樹脂）となる有底筒状の容器本体２に、例えば金属製または合成樹脂製（例えば、ＰＥＴ樹脂）となるマウンティングカップ３の外縁を巻き締めして固着したものである。エアゾール容器１の内側には２種類の内容物が別個に収容されている。またエアゾール容器１は、それぞれの内容物の収容空間につながる総計２つのステム４を有している。本実施形態では、マウンティングカップ３の中央部には、上方から見てその外観形状がトラック状（２つの半円の両端をそれぞれ直線につないで形作られた外観形状を呈する形状）となる突起部５が台座部６から突出し、この突起部５から、２つのステム４が一括りに突出している。
【００１９】
符号１０は、エアゾール容器１のステム４に装着されるノズルである。本実施形態では、吐出具Ｄは、ノズル１０、エアゾール容器１のマウンティングカップ３に固定される固定盤２０、固定盤２０に装着されるガイド部材３０およびガイド部材３０に装着されるカバー部材４０で構成される。
【００２０】
本実施形態のノズル１０は、各ステム４に取り外し可能に嵌合して装着される装着部１１と、この装着部１１から前方に向かって伸びる吐出筒１２とを有し、装着部１１は横方向に並置されている。本実施形態では、装着部１１は、ステム４に対応して総計２つ設けられている。装着部１１の内側にはそれぞれ、第１内部通路ｒ1が形成されている（図２中、図面左側の第１内部通路ｒ1は省略）。これに対して、吐出筒１２は、２つの装着部１１が連結される１つの吐出筒としてなる。また吐出筒１２の内側には、２つの第１内部通路ｒ1に連通する第２内部通路ｒ2が形成されている。本実施形態では、図２に示すように、第２内部通路ｒ2は、トラック形の断面に形成されている。図３に示すように、第１内部通路ｒ1は、ステム４に通じてエアゾール容器１の内容物が下方から導入される。第２内部通路ｒ2は、吐出筒１２の内側を第１内部通路ｒ1から前方に伸びてノズル１０の前端１０ｅに吐出口Ａ1を形成する。さらに本実施形態では、吐出筒１２の上端には、装着部１１の真上の位置にそれぞれ、溝部１２ａが形成されている。
【００２１】
固定盤２０は、図５（ａ）に示すように、上方から見た外観形状が円形の外壁２１を有する。外壁２１の中心には、その表裏を貫く開口部Ａ2が形成されている。外壁２１は、図５（ｂ）に示すように、開口部が形成された上段部２１ａと、この上段部２１ａの外縁から垂下する小径部２１ｂと、この小径部２１ｂの下端から径方向外側に延在する中間段部２１ｃと、この中間段部２１ｃの外縁から垂下する中径部２１ｄと、この中径部２１ｄの下端から径方向外側に延在する下段部２１ｅと、この下段部２１ｅの外縁から垂下する大径部２１ｆとを備えている。本実施形態では、開口部Ａ2は、小径部２１ｂの内周面に、マウンティングカップ３の突起部５と相似形のトラック状としてなる位置決め壁２２を設け、この位置決め壁２２に形成されている。
【００２２】
図５（ｂ）に示すように、位置決め壁２２の下端には、薄肉舌片２３が設けられている。薄肉舌片２３は、図６（ａ）に示すように、開口部Ａ2の長辺側それぞれに配置されている。また、中間段部２１ｃの下端には、円筒壁２４が垂下する。円筒壁２４の内周面には、複数の爪部２４ａが設けられている。本実施形態では、爪部２４ａは周方向に等間隔で３箇所の位置に設けられている。また、中間段部２１ｃには、爪部２４ａと対応する位置に、中間段部２１ｃの表裏を貫く開口部Ａ3が形成されている。さらに、中間段部２１ｃから中径部２１ｄを経て下段部２１ｅの間には、その表裏を貫く係合孔（開口）２５を、対向する２箇所の位置に配置している。
【００２３】
図３に示すように、固定盤２０をエアゾール容器１に固定するときは、マウティングカップ３の突起部５を固定盤２０の開口部Ａ2に貫通させることで、固定盤２０の爪部２４ａをマウティングカップ３の外縁部３ａの外側に引っ掛ける。これにより、固定盤２０をエアゾール容器１に固定することができる。このとき、エアゾール容器１のステム４は、固定盤２０の開口部Ａ2から突出する。
【００２４】
また固定盤２０上には、ガイド部材３０が装着されている。ガイド部材３０は、図７（ａ）に示すように、上方から見た外観形状が円形の筒状壁３１を有する。筒状壁３１の中心には、その表裏を貫く開口部Ａ4が形成されている。筒状壁３１は、図７（ｂ）に示すように、開口部Ａ4が形成された上段部３１ａと、この上段部３１ａの外縁から垂下する小径部３１ｂと、この小径部３１ｂの下端から径方向外側に延在する下段部３１ｃと、この下段部３１ｃの外縁から垂下する大径部３１ｄとを備えている。
【００２５】
本実施形態では、上段部３１ａから上方に向かって突出筒３２が起立する。突出筒３２の内側は、上段部３１ａとともに、開口部Ａ4を形成する。開口部Ａ4は、図７（ａ）に示すように、略矩形断面に形成されている。本実施形態では、突出筒３２は、前壁３２ａと後壁３２ｂとの間を２つの側壁３２ｃで連結することで、略矩形の断面形状を形作っている。また、本実施形態では、前壁３２ａには、その上端から下方に向かって伸びる切り欠きＣ1が形成されており、開口部Ａ4を前側に開放する。この切り欠きＣ1は、ノズル１０が突出筒３２に干渉することなく上下動できることを保証する。また、本実施形態では、図７（ｃ）に示すように、前壁３２ａの上端が後壁３２ｂの上端よりも上方に位置する。これにより、２つの側壁３２ｃの上端Ｅは、図７（ｃ）に示すように、前方から後方に向かうに従って下向きに傾斜する。
【００２６】
ガイド部材３０の下端には、図７（ｂ）に示すように、大径部３１ｄから下方に伸びる第１係合片（第１係合部）３３が設けられている。第１係合片３３には、外向きに突出する爪部３３ａが設けられている。本実施形態では、図７（ｃ）に示すように、大径部３１ｄに第１係合片３３の基部を形作る２つの切り欠きＣ2が形成されている。これにより、第１係合片３３は、下段部３１ｃを基点に左右方向に変形および復元ができる。また本実施形態では、第１係合片３３は、図７（ｂ）に示すように、固定盤２０に形成した係合孔２５に対応して左右一対に設けられている。
【００２７】
さらに、ガイド部材３０には、下段部３１ｃから上方に起立する第２係合片（第２係合部）３４が設けられている。第２係合片３４には、外向きに突出する爪部３４ａが設けられている。本実施形態では、爪部３４ａは、第２係合片３４の上下方向中間位置に配置されている。特に、本実施形態では、第２係合片３４は、爪部３４ａよりも上方の部分に、上方に向かうに従って内側に傾斜する傾斜面３４ｆが設けられている。また、本実施形態では、第２係合片３４は、第１係合片３３と同様、係合孔２５に対応して左右一対に設けられている。なお、本実施形態では、図７（ａ）に示すように、下段部３１ｃからは、突出筒３２を取り囲むように側壁３５が設けられている。側壁３５は上方に向かって起立して、図７（ａ）に示すように前方が開放されている。本実施形態では、第２係合片３４は、図７（ａ）に示すように、側壁３５に形成した２つの切り欠きＣ3の相互間に形成される。すなわち、２つの切り欠きＣ3の相互間に形成された側壁３５を基部として、この側壁３５に外向きの爪部３４ａを設けることで第２係合片３４を形成する。これにより、第２係合片３４は、台座３６を基点に左右方向に変形および復元ができる。加えて、本実施形態では、第２係合片３４は、この第２係合片３４よりも幅の広い台座３６を介して下段部３１ｃに一体に設けられている。
【００２８】
加えて、ガイド部材３０には、前側の下段部３１ｃに、衝立壁３７が設けられている。衝立壁３７の上端には、凹部３７ａが形成されている。凹部３７ａは、ノズル１０の突出筒３２との干渉を防止する。
【００２９】
図２に示すように、ガイド部材３０を固定盤２０に装着するときは、ガイド部材３０の第１係合片３３を固定盤２０に形成した係合孔２５に通すことで、ガイド部材３０の爪部３３ａを固定盤２０の外壁２１に設けた下段部２１ｅの下端２６に引っ掛ける。これにより、ガイド部材３０を固定盤２０に装着することができる。このとき、固定盤２０の開口部Ａ2内を貫通したエアゾール容器１のステム４は開口部Ａ4内に配置される。
【００３０】
またガイド部材３０上には、カバー部材４０が装着されている。カバー部材４０は、図８（ａ）に示すように、上方から見た外観形状が円形の隔壁４１を有する。隔壁４１は、図８（ｂ）に示すように、天壁４１ａと、この天壁４１ａの外縁から下向きに伸びる周壁４１ｂとを有し、ドーム状に形作られている。前側の側壁４１ｂには、ガイド部材３０に設けた衝立壁３７が配置される第１切り欠き部Ｃ4と、この第１切り欠き部Ｃ4に繋がって上方に伸びる第２切り欠き部Ｃ5とが形成されている。第１及び第２切り欠き部Ｃ4、Ｃ5は、カバー部材４０を上からガイド部材３０に装着するとき、ノズル１０の吐出筒１２との干渉を防止する。
【００３１】
カバー部材４０には、係合段部４２が設けられている。係合段部４２は、ガイド部材３０に設けられた第２係合片３４に対応して２箇所の位置に設けられている。本実施形態では、隔壁４１の周壁４１ｂに、表裏を貫く開口部Ａ5を形成し、この開口部Ａ5を形作る周壁４１ｂの開口部下端が係合段部４２としてなる。
【００３２】
また、カバー部材４０は、使用者が外側から押し込み可能な押圧部４３を有する。押圧部４３も、ガイド部材３０に設けられた第２係合片３４に対応して２箇所の位置に設けられている。本実施形態では、押圧部４３は、隔壁４１の周壁４１ｂに形成された開口部Ａ5内に配置されている。詳細には、図９（ａ）に示すように、押圧部４３は、開口部Ａ5を形作る周壁４１ｂの開口部上端にヒンジ部４４を介して隔壁４１と一体に設けられている。また押圧部４３には、滑り止め４５が設けられている。
【００３３】
さらに、カバー部材４０は、図９（ｂ）に示すように、使用者が下向きに押し込み可能な操作部４６を有する。本実施形態では、操作部４６は隔壁４１に一体に設けられている。詳細には、操作部４６は、ヒンジ部４７を介して天壁４１ａと一体に設けられている。また本実施形態では、操作部４６の下端に、下方に伸びる突部４６ａが設けられている。突部４６ａは、ノズル１０に設けた２つの溝部１２ａに対応する二箇所の位置に設けられている。突部４６ａがノズル１０の溝部１２ａに配置されることで、操作部４６を押し下げたときに、操作部４６がノズル１０に対してずれることがない。
【００３４】
図２に示すように、カバー部材４０をガイド部材３０に装着するときは、カバー部材４０をガイド部材３０の上から被せることで、カバー部材４０の内側にガイド部材３０の側壁３５を通して、第２係合片３４の爪部３４ａをカバー部材４０の係合段部４２に引っ掛ける。これにより、カバー部材４０をガイド部材３０に装着することができて、ガイド部材３０とカバー部材４０の間には、ノズル１０の収容空間Ｓが形成される。
【００３５】
ここで、本実施形態の使用方法を説明する。
【００３６】
内容物を吐出させるときは、図４の矢印に示すように、カバー部材４０の操作部４６を、ヒンジ部４７を基点に下向きに押し込む。すると、エアゾール容器１のステム４がそれぞれ、ノズル１０とともに押し下げられることで、２つのエアゾール容器１内の内容物を、第２内部通路ｒ2にて混合させた状態で吐出口Ａ1から吐出させることができる。本実施形態では、ガイド部材３０の突出筒３２を形作る側壁３２ｃが前方から後方に傾斜する上端Ｅを有するとともに、突出筒３２の左右横幅（前壁３２ａ及び後壁３２ｂの長さ）が操作部４６の左右横幅よりも狭く設定されている。このため、突出筒３２を形成する側壁３２ｃの上端Ｅは、操作部４６の下端と接触することにより、操作部４６の押し下げを制限するストッパとして機能する。すなわち、突出筒３２は、操作部４６の押し下げを制限するストッパとして機能する。
【００３７】
ノズル１０を洗浄するときは、図２の矢印で示すように、カバー部材４０に設けた押圧部４３を、ヒンジ部４４を基点に左右内側に押し込む。すると、押圧部４３がガイド部材３０に設けた側壁（第２係合片３４の基部）３５を、爪部３４ａよりも上側の位置で内側に押し込む。このとき、第２係合片３４が台座３６を基点に左右内向きに傾くことで、第２係合片３４の爪部３４ａと係合段部４２との係合が解除される。これにより、固定盤２０をエアゾール容器１から取り外すことなく、カバー部材４０のみをガイド部材３０から取り外すことができる。本実施形態では、図８（ｂ）に示すように、カバー部材４０の前側には切り欠きＣ4、Ｃ5が形成されている。切り欠きＣ4、Ｃ5は、ノズル１０の吐出筒１２を通す通路として機能する。このため、カバー部材４０を上方に引き上げても、カバー部材４０がノズル１０の吐出筒１２に干渉することがない。従って、片手で押圧部４３を押し込んだまま、さらに片手操作でカバー部材４０をガイド部材３０から引き上げることができる。
【００３８】
カバー部材４０を取り外したのちは、エアゾール容器１のステム４からノズル１０を取り外すことで、ノズル１０のみを洗浄することができる。
【００３９】
ノズル１０を洗浄後、ステム４にノズル１０を取り付けるときは、図２に示すように、ガイド部材３０に設けた突出筒３２の内側に形成した開口部Ａ4にノズル１０の装着部１１を収容する。突出筒３２は、図３に示すように、前壁３２ａに形成した切り欠きＣ1がノズル１０の吐出筒１２を上下方向に案内し、後壁３２ｂが吐出筒１２の上方から進入することを阻止する。すなわち、突出筒３２は、ノズル１０の吐出筒１２を前方に位置決めするための位置決め手段としても機能する。
【００４０】
そして、カバー部材４０をガイド部材３０の上方から被せれば、カバー部材４０をガイド部材３０に対して装着することができる。このように、ガイド部材３０は、固定盤２０とカバー部材４０とを接続するための中間部材として機能することから、固定盤２０を変更することなく、ガイド部材３０を変更することにより、種々のカバー部材を取り付けることができる。
【００４１】
また、カバー部材４０の装着も、ガイド部材３０の上から被せるだけの容易な作業ですみ、その取り外しの片手でカバー部材４０の押圧部４３を押し込んでガイド部材３０から引き抜くだけの簡単な作業ですむ。
【００４２】
このように、本発明によれば、共通の固定盤２０に対して種々のカバー部材４０を取り付けることができ、カバー部材４０を取り外すときの作業性に優れる。また、ガイド部材３０には上述のように、位置決め手段やストッパなどの副次的な機能を持たせることができる。なお、本実施形態では、１つの突出筒３２がストッパ機能と位置決め機能とを発揮しているが、例えば、前壁３２ａと後壁３２ｂのみを取り出して位置決め機能を持たせたり、側壁３２ｃのみを取り出してストッパ機能を持たせることもできる。また、側壁３２ｃは、ノズル１０の左右横方向を位置決めする位置決め手段として機能するため、側壁３２も側壁３２のみを取り出すことができる。さらに、位置決め手段とストッパとはいずれか一方、または、本実施形態のように互いに組み合わせることができる。
【００４３】
さらに図１０は、吐出具Ｄに取り外し可能なオーバーキャップ６０を装着したものである。オーバーキャップ６０は、その下端が固定壁２０の下段部２１ｅに着座するとともに、ガイド部材３０の大径部３１ｄに嵌合保持されている。本発明に係るガイド部材３０は、図２に示すように、第１係合部３３が固定盤２０に形成した係合孔２５を通って固定盤２０の内側に係合されるとともに、第２係合部３４がカバー部材４０の内側を通って当該カバー部材４０の内側に係合される。このため、吐出具Ｄ全体の外形は、図１（ａ）〜（ｃ）に示すように、固定盤２０の外形（大径部２１ｆの外形寸法）よりも大きくならないで済む。本実施形態では、ガイド部材３０を固定壁２０の下段部２１ｅを通して固定盤２０の内側に係合させるとともに、カバー部材４０をガイド部材３０の下段部３１ｃを通して係合させるため、吐出具Ｄの全体は、図示のように、上方に向かって先細りの外観を呈する。このため、図１０に示すように、オーバーキャップ６０を装着しても全体としてはスリムな印象を与えることができる。
【００４４】
上述したところは、本発明の例示的な実施形態を説明したものであり、特許請求の範囲を逸脱しない範囲で様々な変更を行うことができる。例えば、ノズル１０の吐出筒１２は、装着筒１１の個数に対応させて複数設けることができる。エアゾール容器１は、ステム４が１つだけのシングルタイプであってもよい。また、吐出筒１２に形成した第２内部通路ｒ2は、その断面形状を円形等にすることも可能である。
【産業上の利用可能性】
【００４５】
本発明は、毛染剤や整髪料等の内容物を収容するエアゾール容器に採用することができる。
【符号の説明】
【００４６】
１      エアゾール容器
２      容器本体
３      マウンティングカップ
４      ステム
１０    ノズル
１１    装着部
１２    吐出筒
２０    固定盤
２５    係合孔（開口部）
３０    ガイド部材
３２    突出筒（位置決め手段、ストッパ）
３２ａ  前壁（位置決め手段）
３２ｂ  後壁（位置決め手段）
３２ｃ  側壁（位置決め手段、ストッパ）
３３    第１係合片（第１係合部）
３３ａ  爪部
３４    第２係合片（第２係合部）
３４ａ  爪部
４０    カバー部材
４１    隔壁
４１ａ  天壁
４１ｂ  周壁
４２    係合段部
４３    押圧部
４４    ヒンジ部
４６    操作部
ｒ1     第１内部通路
ｒ2     第２内部通路
Ａ1     吐出口
Ａ2     固定盤の外壁に形成した開口部
Ａ3     固定盤の外壁中間段部に形成した爪部用の開口部
Ａ4     ガイド部材の筒状壁に形成した開口部
Ａ5     カバー部材の隔壁周壁に形成した開口部
Ｃ1     突出筒の前壁に形成した切り欠き
Ｃ2     ガイド部材の大径部に形成した切り欠き
Ｃ3     ガイド部材の側壁に形成した切り欠き
Ｃ4     カバー部材の隔壁の周壁に形成した第１切り欠き部
Ｃ5     カバー部材の隔壁の周壁に形成した第２切り欠き部
Ｅ      上端（ストッパ）
【図１】
2015085987.tif 000003
【図２】
2015085987.tif 000004
【図３】
2015085987.tif 000005
【図４】
2015085987.tif 000006
【図５】
2015085987.tif 000007
【図６】
2015085987.tif 000008
【図７】
2015085987.tif 000009
【図８】
2015085987.tif 000010
【図９】
2015085987.tif 000011
【図１０】
2015085987.tif 000012